(57)【要約】【課題】  より高い安全性を実現し設備費の低減、蔵置面積率向上を図ることができるコンテナターミナルを提供する。【解決手段】  岸壁Ｇに対して略直交する向きに延在するとともにコンテナＫを積み付け保管する蔵置レーン３と、コンテナＫの荷役を行う岸壁クレーン２が設置された岸壁エプロン領域Ａを走行するとともに各蔵置レーン３間をスイッチバック走行する無人搬送台車４と、無人搬送台車４とのコンテナＫの荷役を行うとともに、各蔵置レーン３を跨いで走行するヤードクレーン６とを備えたコンテナターミナルにおいて、無人搬送台車４が走行する各蔵置レーン３間の領域は、無人領域とされ、各蔵置レーン３のゲート側端部に隣接する領域には、ゲート側移載領域Ｂが設けられ、ゲート側移載領域Ｂでヤードクレーン６と外来シャシＴとが荷役を行うことを特徴とする。【選択図】  図１
2005075537.tif 000002
【特許請求の範囲】
【請求項１】
岸壁に対して略直交する向きに延在するとともにコンテナを所定位置に積み付け保管する複数の蔵置レーンと、前記岸壁に接岸した船舶に対してコンテナの荷役を行う岸壁クレーンが設置された岸壁エプロン領域を走行するとともに前記各蔵置レーン間をスイッチバック走行する複数の無人搬送台車と、これら無人搬送台車とのコンテナの荷役を行うとともに、前記各蔵置レーンを跨いで走行するヤードクレーンと、を備えたコンテナターミナルにおいて、
前記無人搬送台車が走行する前記各蔵置レーン間の領域は、無人領域とされ、
前記各蔵置レーンのゲート側端部に隣接する領域には、ゲート側移載領域が設けられ、該ゲート側移載領域で前記ヤードクレーンと外来シャシとが荷役を行うことを特徴とするコンテナターミナル。
【請求項２】
岸壁に対して略直交する向きに延在するとともにコンテナを所定位置に積み付け保管する複数の蔵置レーンと、前記岸壁に接岸した船舶に対してコンテナの荷役を行う岸壁クレーンが設置された岸壁エプロン領域を走行するとともに前記各蔵置レーン間をスイッチバック走行する複数の無人搬送台車と、これら無人搬送台車とのコンテナの荷役を行うとともに、前記各蔵置レーンを跨いで走行するヤードクレーンと、を備えたコンテナターミナルにおいて、
前記無人搬送台車が走行する前記各蔵置レーン間の領域は、無人領域とされ、
前記各蔵置レーンのゲート側端部に隣接する領域には、ゲート側移載領域が設けられ、該ゲート側移載領域には、外来シャシとの荷役を行う移載機が設けられていることを特徴とするコンテナターミナル。
【請求項３】
前記ヤードクレーンは、それぞれの前記蔵置レーンに一台設置されていることを特徴とする請求項１または２に記載のコンテナターミナル。
【請求項４】
前記無人搬送台車は、前記ゲート側移載領域まで走行することを特徴とする請求項１から３のいずれかに記載のコンテナターミナル。
【請求項５】
前記ゲート側移載領域であって無人搬送台車が走行する領域を囲むように、逸走防止ガードが設けられていることを特徴とする請求項４記載のコンテナターミナル。
【請求項６】
前記ヤードクレーンは、前記各蔵置レーン間を移動することを特徴とする請求項１，２，４及び５のいずれかに記載のコンテナターミナル。
【発明の詳細な説明】
【技術分野】
【０００１】
本発明は、例えば海上コンテナの船荷役、蔵置、ゲートを通じた受け入れならびに払い出しを行うコンテナターミナル及びコンテナの荷役方法に関するものである。
【背景技術】
【０００２】
コンテナターミナルは、コンテナ輸送船に対してコンテナの積み込み、荷揚げを行い、さらに、荷揚げしたコンテナを荷主に引き渡すまで貯蔵保管し、荷主から受け取ったコンテナを船積みまで貯蔵保管する岸壁施設である。
【０００３】
従来のコンテナターミナルとして、例えば特許文献１に記載されたものがある。
このコンテナターミナルは、コンテナヤードにおける荷役の自動化を図ったものである。すなわち、図７に示すように、コンテナ蔵置ブロック１１間には、無人のストラドルキャリア１３が走行する走行路１１Ａが設けられている。一方で、有人のトレーラ１０が走行する走行路１１Ｂが設けられている。このように、無人のストラドルキャリア１３をコンテナヤード内を走行させることによって、自動化を図っている。
また、蔵置ブロック間の領域で無人のストラドルキャリア１３と有人のコンテナ搬出トレーラ１０とが混在するので、安全対策として干渉防止装置１２や仕切り塀１４が設置されている。
【０００４】
【特許文献１】特開２００３−４８６２５号公報（段落［００３８］〜［００４５］，図４，図６）
【発明の開示】
【発明が解決しようとする課題】
【０００５】
しかしながら、上記従来のコンテナターミナルは、無人のストラドルキャリア１３に加えて有人トレーラ１０の走行路を設けているため、コンテナヤードのコンテナ蔵置面積率が低下するという問題があった。
また、無人のストラドルキャリア１３をコンテナヤード内に進入させることによって自動化を図っているものの、依然としてコンテナヤード内に有人のトレーラ１０が進入するので、コンテナヤード内において完全な自動化を図ることができなかった。
また、安全対策のために干渉防止装置１２や仕切り塀１４を設置する必要があり、コストの上昇を招いていた。
また、ヤードクレーンとトレーラ１０との間の荷役は、トレーラ１０が有人であるため、安全上の観点から手動操作で行うことになる。上記従来技術では、トレーラ１０の走行路１１Ｂの任意の位置でヤードクレーンに対して荷役を行うことになるので、操作者の熟練を要し、荷役作業の効率化を阻んでいた。
【０００６】
本発明は、以上の問題点に鑑み、コンテナヤードのコンテナ蔵置面積率の向上を目的とする。
また、本発明は、コンテナヤード内の自動化をさらに促進し、荷役効率を高めることを目的とする。
また、コンテナの受け渡し作業が容易で、より高い安全性の確保を図るコンテナターミナルを提供することを目的とする。
【課題を解決するための手段】
【０００７】
本発明は、上記課題を解決するために、以下の手段を採用する。
請求項１に記載のコンテナターミナルは、岸壁に対して略直交する向きに延在するとともにコンテナを所定位置に積み付け保管する複数の蔵置レーンと、前記岸壁に接岸した船舶に対してコンテナの荷役を行う岸壁クレーンが設置された岸壁エプロン領域を走行するとともに前記各蔵置レーン間をスイッチバック走行する複数の無人搬送台車と、これら無人搬送台車とのコンテナの荷役を行うとともに、前記各蔵置レーンを跨いで走行するヤードクレーンと、を備えたコンテナターミナルにおいて、前記無人搬送台車が走行する前記各蔵置レーン間の領域は、無人領域とされ、前記各蔵置レーンのゲート側端部に隣接する領域には、ゲート側移載領域が設けられ、該ゲート側移載領域で前記ヤードクレーンと外来シャシとが荷役を行うことを特徴とする。
【０００８】
各蔵置レーン間の領域は、無人領域とされているので、有人の荷役機械が走行することはない。したがって、干渉防止装置等の安全設備を施す必要がない。
各蔵置レーン間の領域には無人搬送台車が走行するので、複数の蔵置レーンで構成されるコンテナヤード内を自動化することができる。なお、各蔵置レーン間の領域には、無人搬送台車のみが走行する専用走行路を設定することとして、蔵置面積の増加を図ることが好ましい。
また、船舶から蔵置レーンへとコンテナを荷揚げする本船揚げ作業や、蔵置レーンから本船へとコンテナを積み付ける本船積み作業を行う場合、すなわち船側作業を行う場合、無人搬送台車がヤードクレーンの位置まで無人領域を走行してコンテナの受け渡しを行えば良く、ヤードクレーンが走行する必要がないので、船側作業が効率的になる。
無人化されたコンテナヤードでは、ヤードクレーンと、有人であるトレーラ等の外来シャシとの荷役作業は、遠隔監視による手動運転によって行われる。本発明では、蔵置レーンのゲート側端部に隣接する領域をゲート側移載領域として、遠隔手動運転は常にこの領域で行われるようにした。したがって、任意の位置で遠隔手動運転が行われる場合に比べて、操作者に熟練を要することながく、また迅速で円滑な作業が期待できる。
蔵置レーンのゲート側端部に隣接する領域に、ヤードクレーンとトレーラ等の外来シャシとの荷役を行うゲート側移載領域を設けて、ヤードクレーンに移載機の役割を担わせることとした。したがって、ゲート側の領域に移載機を設置する必要がない。
また、ゲート側移載領域で外来シャシとの荷役を行うこととしたので、無人であるコンテナヤード内と、有人であるゲート側領域とを明確に区別することができ、安全性の観点からも好ましい。
【０００９】
請求項２記載のコンテナターミナルは、岸壁に対して略直交する向きに延在するとともにコンテナを所定位置に積み付け保管する複数の蔵置レーンと、前記岸壁に接岸した船舶に対してコンテナの荷役を行う岸壁クレーンが設置された岸壁エプロン領域を走行するとともに前記各蔵置レーン間をスイッチバック走行する複数の無人搬送台車と、これら無人搬送台車とのコンテナの荷役を行うとともに、前記各蔵置レーンを跨いで走行するヤードクレーンと、を備えたコンテナターミナルにおいて、前記無人搬送台車が走行する前記各蔵置レーン間の領域は、無人領域とされ、前記各蔵置レーンのゲート側端部に隣接する領域には、ゲート側移載領域が設けられ、該ゲート側移載領域には、外来シャシとの荷役を行う移載機が設けられていることを特徴とする。
【００１０】
各蔵置レーン間の領域は、無人領域とされているので、有人の荷役機械が走行することはない。したがって、干渉防止装置等の安全設備を施す必要がない。
各蔵置レーン間の領域には無人搬送台車が走行するので、複数の蔵置レーンで構成されるコンテナヤード内を自動化することができる。なお、各蔵置レーン間の領域には、無人搬送台車のみが走行する専用走行路を設定することとして、蔵置面積の増加を図ることが好ましい。
また、船舶から蔵置レーンへとコンテナを荷揚げする本船揚げ作業や、蔵置レーンから本船へとコンテナを積み付ける本船積み作業を行う場合、すなわち船側作業を行う場合、無人搬送台車がヤードクレーンの位置まで無人領域を走行してコンテナの受け渡しを行えば良く、ヤードクレーンが走行する必要がないので、船側作業が効率的になる。
無人化されたコンテナヤードでは、ヤードクレーンと、有人であるトレーラ等の外来シャシとの荷役作業は、遠隔監視による手動運転によって行われる。本発明では、蔵置レーンのゲート側端部に隣接する領域をゲート側移載領域として、遠隔手動運転は常にこの領域で行われるようにした。したがって、任意の位置で遠隔手動運転が行われる場合に比べて、操作者に熟練を要することながく、また迅速で円滑な作業が期待できる。
また、ゲート側移載領域で外来シャシとの荷役を行うこととしたので、無人であるコンテナヤード内と、有人であるゲート側領域とを明確に区別することができ、安全性の観点からも好ましい。
外来シャシとの荷役を移載機に専念させることにより、ヤードクレーンを効率よく使用することができる。
【００１１】
請求項３記載のコンテナターミナルは、前記ヤードクレーンが、それぞれの前記蔵置レーンに一台設置されていることを特徴とする。
【００１２】
船側作業の場合、無人搬送台車がヤードクレーンの位置まで無人領域を走行するので、ヤードクレーンが走行する必要はない。ヤードクレーンは、蔵置レーンからコンテナターミナル外にコンテナを輸出する搬出作業、コンテナターミナル外から蔵置レーンにコンテナを輸入する搬入作業を行う場合、すなわち陸側作業の場合にのみ、蔵置レーンを走行するだけで良い。したがって、各蔵置レーンに一台のヤードクレーンがあれば十分である。
【００１３】
請求項４記載のコンテナターミナルは、前記無人搬送台車が、前記ゲート側移載領域まで走行することを特徴とする。
【００１４】
無人搬送台車がゲート側移載領域まで走行するので、無人走行台車に搬出入作業を担わせることができる。すなわち、搬出の場合、岸壁クレーンからコンテナを受け取った無人搬送台車をゲート側移載領域まで無人領域を走行させ、ゲート側移載領域に待機しているヤードクレーン（または移載機）で無人搬送台車上のコンテナを吊り上げ、同様にゲート側移載領域で待機している外来シャシに積み付ける。搬入の場合、外来シャシ上のコンテナをヤードクレーン（または移載機）によって吊り上げ、ゲート側移載領域で待機している無人搬送台車に積みつける。コンテナを受け取った無人搬送台車は、蔵置レーンまたは岸壁クレーンへとコンテナを搬送する。
【００１５】
請求項５記載のコンテナターミナルは、前記ゲート側移載領域であって無人搬送台車が走行する領域を囲むように、逸走防止ガードが設けられていることを特徴とする。
【００１６】
ゲート側移載領域には有人の外来シャシが進入するので、安全対策として逸走防止ガードを設ける。
【００１７】
請求項６記載のコンテナターミナルは、前記ヤードクレーンが、前記各蔵置レーン間を移動することを特徴とする。
【００１８】
作業負荷が高い蔵置レーンへとヤードクレーンが移動できるようにする。これにより、１台は外来シャシとのコンテナの受け渡しを行い（移載機の役目）、他の１台は蔵置レーンにおける作業に専念することができる。
【発明の効果】
【００１９】
各蔵置レーン間の領域が無人領域とされているので、干渉防止装置等の安全設備を施す必要がない。
各蔵置レーン間の領域には専ら無人搬送台車が走行するので、コンテナヤード内を自動化することができる。
また、船側作業を行う場合、無人搬送台車がヤードクレーンの位置まで走行してコンテナの受け渡しを行うので、船側作業を高効率とすることができる。
遠隔手動運転を常にゲート側移載領域で行うようにしたので、迅速で円滑な作業が期待できる。
蔵置レーンのゲート側端部に隣接する領域にゲート側移載領域を設けて、ヤードクレーンに移載機の役割を担わせることとしたので、ゲート側の領域に移載機を設置する必要がない。
【００２０】
無人搬送台車がゲート側移載領域まで走行して無人走行台車に搬出入作業を担わせることとしたので、搬出入作業を高効率化できる。
【発明を実施するための最良の形態】
【００２１】
本発明にかかるコンテナターミナルの第１実施形態について、図１〜図３を用いて説明する。
図１はコンテナターミナルの配置を示した平面図である。
岸壁Ｇには船舶１が接岸されている。船舶１の側方には、コンテナターミナルの岸壁エプロン領域ＡにコンテナＫの荷役を行う３台の岸壁クレーン２が設置されている。
岸壁エプロン領域Ａの陸側には、コンテナＫが蔵置されるコンテナヤードＹが設けられている。このコンテナヤードＹには、岸壁Ｇに対して直交するように配置された蔵置レーン３が設けられている。ここでは一例としてレーン数を6列とした。
【００２２】
岸壁エプロン領域Ａには無人搬送台車（Automated
Guided Vehicle: ＡＧＶ）４のループ状の専用走行路５Ａが、各岸壁クレーン２の下方を走行して一つのループを描くように設けられている。
各蔵置レーン３間には、無人領域が設定されており、この領域に無人搬送台車４の専用走行路５Ｂが設けられている。この専用走行路５Ｂは、コンテナヤードＹ内に進入する２つの進入路５Ｂ１と１つの退出路５Ｂ２とを有している。進入路５Ｂ１は、両側の蔵置レーン３に隣接する位置に設けられており、退出路５Ｂ２は、２つの進入路５Ｂ１の間に設けられている。進入路５Ｂ１は、蔵置レーン３のゲート側端部（図１において下方）で終端しており、この終端位置から海側に延在する退出路５Ｂ２に接続されている。
無人搬送台車４は、このような専用走行路５Ｂによって、スイッチバック走行するようになっている。
なお、上記各専用走行路５Ａ，５Ｂには無人搬送台車4を自動的に案内誘導するため、例えば磁気装置が敷設されている。
【００２３】
各蔵置レーン３には、蔵置レーン３を跨いで走行する門型のトランスファクレーン（ヤードクレーン）６が一台ずつ設けられている。
トランスファクレーン６は、岸壁Ｇ側からゲート側のコンテナ移載領域（ゲート側移載領域）Ｂまで走行し、無人搬送台車４や外来シャシ（トラックやトレーラ、貨車等の有人自走搬送車両）Ｔに対してコンテナＫの荷役を行う。
【００２４】
図２には、トランスファクレーン６の正面図が示されている。上方において水平に延在するガーダ上に、横行トロリー６Ａが設置されており、この横行トロリー６Ａからコンテナ吊具（スプレッダ）６Ｂが吊り下げられている。このコンテナ吊具６ＢによってコンテナＫが把持される。
【００２５】
図３は、コンテナ移載領域Ｂに位置したトランスファクレーン６が外来シャシＴに対してコンテナＫを移載する状態を示した側面図である。
外来シャシＴは、ゲート側からコンテナ移載領域Ｂまで進入し、トランスファクレーン６の下方で停車する。この位置で、コンテナＫの受け渡しが行われる。
【００２６】
どのコンテナＫをどこへ移動するかの指示は、無人搬送台車４、トランスファクレーン６及び外来シャシＴに対して、制御室９から無線にて出される。
【００２７】
次に、上記構成のコンテナターミナルの運用について説明する。
船舶１からコンテナＫをコンテナヤードＹに荷揚げする本船揚げ作業の場合、無人搬送台車４は、岸壁クレーン２の下方でコンテナＫを受け取る。コンテナＫを受け取った無人搬送台車４は、ループ状の専用走行路５Ａを走行して、制御室９から指示された何れかの専用走行路５Ｂへと進入する。無人搬送台車４は、専用走行路５Ｂの進入路５Ｂ１を走行して、目的のトランスファクレーン６の側方で停車する。トランスファクレーン６は、側方に停車した無人搬送台車４からコンテナを受け取り、蔵置レーン３の所定位置にコンテナＫを積み付ける。
トランスファクレーン６にコンテナＫを渡した無人搬送台車４は、進入路５Ｂ１をそのままゲート側に進行した後、スイッチバックして退出路５Ｂ２を走行して岸壁エプロン領域Ａの専用走行路５Ａに戻る。
蔵置レーン３に蔵置されたコンテナＫを船舶１に積み付ける本船積み作業の場合、無人走行台車４は、制御室９から指示されたトランスファクレーン６へと走行し、このクレーン６の側方で停車してコンテナＫを受け取る。コンテナＫを受け取った無人搬送台車４は、前述のようにスイッチバックして退出路５Ｂ２を走行して岸壁エプロン領域Ａの専用走行路５Ａに向かう。そして、制御室９から指示された岸壁クレーン２にコンテナＫを渡して、本船積み作業を終える。
以上の船側の作業は、全て自動で行われる。
【００２８】
蔵置レーン３に蔵置されたコンテナＫをゲート外へ払い出す搬出作業を行う場合、トランスファクレーン６は、制御室９から指示された目標コンテナＫまで走行し、この目標コンテナＫを吊り上げる。トランスファクレーン６は、コンテナＫを吊り上げたままゲート側へと走行し、蔵置レーン３に隣接するコンテナ移載領域Ｂまで走行する。このコンテナ移載領域Ｂにおいて、トランスファクレーン６の下方に到着した外来シャシＴに対してコンテナＫを載置する。コンテナＫを受け取った外来シャシＴは、ゲートを通過して目的の輸送地へと向かう。
ゲート外のコンテナを蔵置レーン３に受け入れる搬入作業を行う場合、搬入コンテナＫを積んだ外来シャシＴは、ゲートを通過して、制御室９から指示された蔵置レーン３のコンテナ移載領域Ｂへと走行し、この荷役位置Ｂで停車する。トランスファクレーン６は、コンテナ移載領域Ｂにおいて、外来シャシＴからコンテナＫを受け取る。コンテナを受け取ったトランスファクレーン６は、蔵置レーン３を走行し、制御室９から指示された所定の位置にコンテナＫを積みつける。
以上の陸側作業におけるトランスファクレーン６と外来シャシＴとの荷役は、外来シャシＴが有人であるため自動では行えず、制御室等の遠隔位置に待機している操作者による手動によって行われる。
【００２９】
本実施態様によれば、以下の効果を奏する。
船から船への積み替え、すなわちトランシップの場合、本船揚げ作業や本船積み作業が行われるだけなので、ゲートからコンテナが出ることがなく、搬出入作業を伴わない。本実施形態によれば、船側作業では無人搬送台車４がトランスファクレーン６の側方まで走行して荷役を行うので、無人搬送台車４に比べて動きが緩慢なトランスファクレーン６の走行を極力排除することができる。
また、蔵置レーン３間の領域は無人領域とされているので、コンテナヤード内において完全な自動化が実現され、効率的な荷役を行うことができる。
【００３０】
無人搬送台車４の専用走行路５Ｂを蔵置レーン３間に設けて無人領域を設定しているので、外来シャシＴがコンテナヤードＹ内に進入することがなく、安全を確保できる。そして、従来必要であった、干渉防止装置等の安全設備の設置が不要となり、従来に比べ設備コスト低減が図れる。
【００３１】
トランスファクレーン６と外来シャシＴとの荷役を行う場合、常にコンテナ移載領域Ｂで行うこととしたので、手動による遠隔運転について熟練を要することながく、迅速かつ円滑に荷役を行うことができる。
【００３２】
外来シャシＴに対してコンテナＫの受け渡しを行う移載機として、トランスファクレーン６を用いることとしたので、移載機を設置する必要がなく、廉価なコンテナヤードを提供することができる。
【００３３】
また、無人搬送台車４は、コンテナ移載領域Ｂにおいて荷役した後にスイッチバック走行するようになっているので、蔵置レーン３から離れたゲート側領域に位置する移載機を有する従来のコンテナターミナルのように蔵置レーン３とゲートとの間で大きなループを描いて走行する必要がない。したがって、無人搬送台車４の運行管理が容易になる。
【００３４】
図４は、本発明にかかるコンテナターミナルの第２実施形態が示されている。
以下、上記実施形態に対して異なる点について説明する。
無人搬送台車４の専用走行路５Ｂが、ゲート側のコンテナ移載領域Ｂまで延長して設けられている。
これにより、搬入搬出の場合であっても、無人搬送台車４がコンテナ移載領域Ｂまで走行することができるので、トランスファクレーン６が蔵置レーン３を走行してコンテナ移載領域ＢまでコンテナＫを搬送することを省略できる。したがって、搬出入作業を効率的に行うことができる。
また、延長された専用走行路５Ｂを囲むように、逸走防止ガード７が設置されている。これにより、有人の外来シャシＴとの領域を分けることで、安全性を高めることができる。
【００３５】
また、蔵置レーン３間でトランスファクレーン６が移動できるように、レーンチェンジ部Ｘが設けられている。これにより、負荷が大きい蔵置レーン３にトランスファクレーン６を移動させて、一つの蔵置レーン３において２台のトランスファクレーン６を使用することとして、稼動効率を高めることができる。
【００３６】
図５及び図６には、第３実施形態が示されている。
以下、第２実施形態と異なる点について説明する。
コンテナ移載領域Ｂの全幅に渡りコンテナ移載機である天井クレーン設備（移載機）８が設けられている。
図６に示されているように、天井クレーン設備８は、複数のレール支柱８Ｄによって支持されるとともに水平に延在するトレーラレール８Ｃを走行する横行トレーラ８Ａと、この横行トレーラ８Ａから吊り下げられるコンテナ吊具８Ｂとを備えている。
【００３７】
本実施形態によれば、外来シャシＴとの荷役を天井クレーン設備８に専念させることとしたので、コンテナヤードでの荷役効率が上昇する。
また、移載機を天井クレーンとしたので、トランスファクレーンに移載機の役目を担わせる場合に比べて、外来シャシや無人搬送台車との干渉のおそれがない。したがって、安全なコンテナターミナルを提供することができる。
また、本実施形態においても、第２実施形態と同様に、無人搬送台車４がコンテナ移載領域Ｂまで走行できるようにしたので、搬出入作業を無人搬送台車４に担わせることができ、搬出入作業を効率化できる。
【００３８】
なお、上記各実施形態において、無人搬送台車４は、ＡＧＶに限らず、ストラドルキャリアとしてもよい。
また、トランスファクレーン６を天井走行クレーンとしてもよい。
【図面の簡単な説明】
【００３９】
【図１】本発明にかかるコンテナターミナルの第１実施形態を示した平面図である。
【図２】図１のII−II矢視図である。
【図３】図１のIII−III矢視図である。
【図４】本発明にかかるコンテナターミナルの第２実施形態を示した平面図である。
【図５】本発明にかかるコンテナターミナルの第３実施形態を示した平面図である。
【図６】図５中のVI−VI矢視図である。
【図７】従来のコンテナターミナルを示した正面図である。
【符号の説明】
【００４０】
１  船舶
２  岸壁クレーン
３  蔵置レーン
４  無人搬送台車
５Ａ，５Ｂ  専用走行路
６  ヤードクレーン
７  逸走防止ガード
８  コンテナ移載機
Ａ  岸壁エプロン領域
Ｂ  コンテナ移載領域（ゲート側移載領域）
Ｙ  コンテナヤード
【図１】
2005075537.tif 000003
【図２】
2005075537.tif 000004
【図３】
2005075537.tif 000005
【図４】
2005075537.tif 000006
【図５】
2005075537.tif 000007
【図６】
2005075537.tif 000008
【図７】
2005075537.tif 000009